【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
第1色の液体現像剤で現像する第1の現像部及び第1のスクイーズローラが配設された第1感光体と、
第2色の液体現像剤で現像する第2の現像部及び第2のスクイーズローラが配設された第２感光体と、
前記第１感光体に現像された像が転写され、前記第１感光体に現像された像が転写された後に前記第２感光体に現像された像が転写される中間転写ベルトと、
前記中間転写ベルトに転写された像を転写材に転写する転写部と、を有し、
前記第１のスクイーズローラで前記第１感光体から除去されるキャリアの量は、前記第２のスクイーズローラで第２感光体から除去されるキャリアの量よりも少ないことを特徴とする画像形成装置。
【請求項２】
第３色の液体現像剤で現像する第３の現像部及び第３のスクイーズローラが配設された第３感光体を有し、前記第2感光体に現像された像が転写された前記中間転写ベルトに前記第3感光体に現像された像を転写する請求項１に記載の画像形成装置。
【請求項３】
第４色の液体現像剤で現像する第４の現像部及び第４のスクイーズローラが配設された第４感光体を有し、前記第３感光体に現像された像が転写された前記中間転写ベルトに前記第４感光体に現像された像を転写する請求項２に記載の画像形成装置。
【請求項４】
前記第１のスクイーズローラで第１感光体から除去されるキャリアの量は、前記第３のスクイーズローラで第３感光体から除去されるキャリアの量、及び前記第４のスクイーズローラで第４感光体から除去されるキャリアの量よりも少なくする請求項３に記載の画像形成装置。
【請求項５】
前記第２のスクイーズローラで第２感光体から除去されるキャリアの量、前記第３のスクイーズローラで第３感光体から除去されるキャリアの量、及び前記第４のスクイーズローラで第４感光体から除去されるキャリアの量は同じである請求項４に記載の画像形成装置。
【請求項６】
前記第１のスクイーズローラの回転速度は、前記第２のスクイーズローラの回転速度よりも遅い請求項１に記載の画像形成装置。
【請求項７】
前記第１のスクイーズローラの回転速度は、前記第３のスクイーズローラの回転速度及び前記第４のスクイーズローラの回転速度よりも遅い請求項３に記載の画像形成装置。
【請求項８】
前記第１色の液体現像剤はイエローの液体現像剤である請求項１から７のいずれか１項に記載の画像形成装置。
【請求項９】
第１感光体に第１色の液体現像剤で現像した後に第１のスクイーズローラでキャリア除去した像を中間転写ベルトに転写し、
第２感光体に第２色の液体現像剤で現像した後に前記第１のスクイーズローラの回転速度よりも速い回転速度の第２のスクイーズローラでキャリア除去した像を前記第１感光体で像を転写された前記中間転写ベルトに転写することを特徴とする画像形成方法。
【請求項１０】
第３感光体に第３色の液体現像剤で現像した後に前記第１のスクイーズローラの回転速度よりも速い回転速度の第３のスクイーズローラでキャリア除去した像を前記第２感光体で像を転写された前記中間転写ベルトに転写する請求項９に記載の画像形成方法。
【請求項１１】
第４感光体に第４色の液体現像剤で現像した後に前記第１のスクイーズローラの回転速度よりも早い回転速度の第４のスクイーズローラでキャリア除去した像を前記第３感光体で像を転写された前記中間転写ベルトに転写する請求項１０に記載の画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００６
【補正方法】変更
【補正の内容】
【０００６】
本発明は上記課題を解決するためのもので、本発明に係る画像形成装置は、第1色の液体現像剤で現像する第1の現像部及び第1のスクイーズローラが配設された第1感光体と、第2色の液体現像剤で現像する第2の現像部及び第2のスクイーズローラが配設された第２感光体と、前記第１感光体に現像された像が転写され、前記第１感光体に現像された像が転写された後に前記第２感光体に現像された像が転写される中間転写ベルトと、前記中間転写ベルトに転写された像を転写材に転写する転写部と、を有し、前記第１のスクイーズローラで前記第１感光体から除去されるキャリアの量は、前記第２のスクイーズローラで第２感光体から除去されるキャリアの量よりも少ないことを特徴とする。
【手続補正４】
【補正対象書類名】明細書
【補正対象項目名】０００７
【補正方法】変更
【補正の内容】
【０００７】
また、本発明に係る画像形成装置は、第３色の液体現像剤で現像する第３の現像部及び第３のスクイーズローラが配設された第３感光体を有し、前記第2感光体に現像された像が転写された前記中間転写ベルトに前記第3感光体に現像された像を転写する。
また、本発明に係る画像形成装置は、第４色の液体現像剤で現像する第４の現像部及び第４のスクイーズローラが配設された第４感光体を有し、前記第３感光体に現像された像が転写された前記中間転写ベルトに前記第４感光体に現像された像を転写する。
また、本発明に係る画像形成装置は、前記第１のスクイーズローラで第１感光体から除去されるキャリアの量は、前記第３のスクイーズローラで第３感光体から除去されるキャリアの量、及び前記第４のスクイーズローラで第４感光体から除去されるキャリアの量よりも少なくする。
また、本発明に係る画像形成装置は、前記第２のスクイーズローラで第２感光体から除去されるキャリアの量、前記第３のスクイーズローラで第３感光体から除去されるキャリアの量、及び前記第４のスクイーズローラで第４感光体から除去されるキャリアの量は同じである。
また、本発明に係る画像形成装置は、前記第１のスクイーズローラの回転速度は、前記第２のスクイーズローラの回転速度よりも遅い。
また、本発明に係る画像形成装置は、前記第１のスクイーズローラの回転速度は、前記第３のスクイーズローラの回転速度及び前記第４のスクイーズローラの回転速度よりも遅い。
また、本発明に係る画像形成装置は、前記第１色の液体現像剤はイエローの液体現像剤である。
【手続補正５】
【補正対象書類名】明細書
【補正対象項目名】０００８
【補正方法】変更
【補正の内容】
【０００８】
また、本発明に係る画像形成方法は、第１感光体に第１色の液体現像剤で現像した後に第１のスクイーズローラでキャリア除去した像を中間転写ベルトに転写し、第２感光体に第２色の液体現像剤で現像した後に前記第１のスクイーズローラの回転速度よりも速い回転速度の第２のスクイーズローラでキャリア除去した像を前記第１感光体で像を転写された前記中間転写ベルトに転写することを特徴とする。
また、本発明に係る画像形成方法は、第３感光体に第３色の液体現像剤で現像した後に前記第１のスクイーズローラの回転速度よりも速い回転速度の第３のスクイーズローラでキャリア除去した像を前記第２感光体で像を転写された前記中間転写ベルトに転写する。
また、本発明に係る画像形成方法は、第４感光体に第４色の液体現像剤で現像した後に前記第１のスクイーズローラの回転速度よりも早い回転速度の第４のスクイーズローラでキャリア除去した像を前記第３感光体で像を転写された前記中間転写ベルトに転写する。